(57)【要約】      （修正有）【課題】モップ植毛盤の改良構造を提供する。  【解決手段】主に固定台２、結合台３、回転盤４及び植毛盤５でモップ植毛盤を構成する。グリップの底端に固定台を設け、該固定台は可動的に結合台と接続し、該結合台の軸部は回転盤の中心孔より突出する。該回転盤底部の縁周囲に凹型の溝を設け、そこに植毛盤を掛合する。植毛盤の縁周りに複数のフラットタイプの十字孔を設け、それにより形成する複数の尖った角により、綿糸５４を締め付けてしっかりと固定することができる。【選択図】図２
0003152270.tif 000002
【実用新案登録請求の範囲】
【請求項１】
固定台、結合台、回転盤、植毛盤を含み、
固定台はモップのグリップ底端に設け、可動的に結合台と接続し、
該結合台の軸部を回転盤の中心孔に嵌合し、
該回転盤底部に植毛盤を設け、
該植毛盤は複数の孔を設け、該孔はフラットタイプの十字形状の孔を呈し、十字孔が形成する複数の尖った角により、プレス機械を用いて綿糸を孔に植え込む作業の際、尖った角が強力な圧力を受けて内側に曲がることで生じる変形の弾性力を介し、綿糸を締め付けて固定することを特徴とするモップ植毛盤の改良構造。
【請求項２】
前記孔に複数の尖った角を形成したことを特徴とする請求項１記載のモップ植毛盤の改良構造。
【請求項３】
前記尖った角がそれぞれ隣接する間に補強ブロックを設けることで、該尖った角の強度を強化することを特徴とする請求項１記載のモップの植毛盤の改良構造。
【考案の詳細な説明】
【技術分野】
【０００１】
本考案はモップ植毛盤改良構造に関し、特に、家庭用掃除用品のモップ植毛盤の改良構造に関する。
【背景技術】
【０００２】
従来のモップ植毛盤構造は、例えば、台湾実用新案第M334697号の『掃除部品を具有する掃除用品』は、図５に示すように、モップ掃除用綿糸の結合及び固定装置は、枠体の上に設けた多数の孔を利用し、当該孔は大きい内径及び小さい内径で構成し、既に、束に束ねた掃除部品の端を小さい内径、大きい内径の順に詰めてから、掃除部品を引っ張ることで、当該枠体を掃除用品に固定する。
【０００３】
従来技術の孔は大小二つの内径で構成する梯子状の孔であるため、束ねた綿糸は小さい内径から大きい内径に通すときの抵抗力が大変大きく、組立時の不便と不良率が高くなるほか、脱落などの憂いがあるのを鑑みて、改善する必要があった。
【先行技術文献】
【特許文献】
【０００４】
【特許文献１】台湾実用新案第Ｍ３３４６９７号公報
【考案の概要】
【考案が解決しようとする課題】
【０００５】
前記従来技術の欠点を解決するため、本考案は固定台及び回転盤、結合台、植毛盤を設置し、綿糸が脱落しにくいモップ植毛盤の改良構造を提供することを主な課題とする。
【課題を解決するための手段】
【０００６】
前記課題を解決するために、本考案はモップ植毛盤改良構造を提供するものである。主にグリップ底部に固定台を設け、更に固定台は可動的に結合台と接続する。該結合台の軸部は回転盤の中心孔に嵌合し、回転盤底部の周辺に植毛盤を設ける。植毛盤に複数のフラットタイプの十字形状の孔を設け、それにより形成する複数の尖った角のデザインを利用し、プレス機械を用いて綿糸５４を孔に植え込む作業の際、尖った角５２１が強力な圧力により内側に曲がることで生じる変形の弾性力により、綿糸５４を締め付けて固定し、脱落させない。
【０００７】
すなわち、請求項１の考案は、モップ植毛盤改良構造において、固定台、結合台、回転盤、植毛盤を含み、固定台２はモップのグリップ底端に設け、可動的に結合台３と接続し、該結合台３の軸部を回転盤の中心孔に嵌合し、該回転盤底部に植毛盤を設け、該植毛盤は複数の孔を設け、該孔はフラットタイプの十字形状の孔を呈し、十字孔が形成する複数の尖った角により、プレス機械を用いて綿糸を孔に植え込む作業の際、尖った角が強力な圧力を受けて内側に曲がることで生じる変形の弾性力を介し、綿糸を締め付けて固定することを特徴とする。
請求項２の考案は、請求項１記載のモップ植毛盤の改良構造において、前記孔に複数の尖った角を形成し、如何なる孔の形状にも対応することを特徴とする。
請求項３の考案は、請求項１記載のモップ植毛盤の改良構造において、前記尖った角がそれぞれ隣接する間に補強ブロックを設けることで、該尖った角の強度を強化することを特徴とする。
【考案の効果】
【０００８】
本考案のモップ植毛盤改良構造によれば、植毛盤の縁周りに複数のフラットタイプの十字形状の孔を設け、それにより形成する複数の尖った角により、綿糸を締め付けてしっかりと固定し、脱落させない。
【図面の簡単な説明】
【０００９】
【図１】本考案の実施例の分解略図である。
【図２】本考案の実施例の組立式略図である。
【図３】本考案の実施例の植毛盤俯瞰略図である。
【図４】本考案の実施例の植毛盤実施略図である。
【図５】従来のモップ植毛盤の分解図である。
【考案を実施するための形態】
【実施例】
【００１０】
本考案のモップ植毛盤改良構造の実施例を、図面に参照して説明する。
図１から図４に示すのは、本考案のモップ植毛盤の改良構造である。
モップ植毛盤の改良構造は、グリップ１、固定台２、結合台３、回転盤４及び植毛盤５から構成されている。固定台２の一端にある嵌合孔２１は、グリップ１の端部１１と嵌合して固定する。固定台２の別端に抵触部２２及び孔２２１を設け、それを結合台３の凹槽部３１に挿入し、止め釘３２を差し込むことで、可動的に接続する。また結合台３にある円盤部３５は回転できるよう回転盤４の下方に設置し、軸部３３は可動的に回転盤４の中心孔４１より上に突出する。軸部３３の別端に抵触縁３３１を設け、グリップ１を直立する際、固定台２の抵触部２２にあるストッパー端２２３と抵触する。回転盤４の中央に中心孔４１を具有し、下方に複数のフック４３を形成することで、底蓋３４を固定する。該底蓋３４は結合台３を定置付けすることで、回転盤４が独立して回転し、脱落することがない。
【００１１】
グリップ１は固定台２と結合台３を連結し、回転盤４は独立して回転するため、回転盤４及び植毛台５が遠心力で回転して脱水する場合、該グリップ１は共に回転しない。よって、ユーザーがグリップ１を持って立って掃除或いはしゃがんでベッド下などを掃除する、或いは、回転盤４が回転して脱水するときなど、いずれの状況でも使用しやすい。また、グリップ１を直立するときに、結合台３と抵触するために、固定台２の抵触部２２の頂上に突出縁２２２を設ける。    
【００１２】
更に回転盤４下方にある円盤部４２は植毛盤５と掛合する。該植毛盤５の縁はU字型を呈する円盤状のものである。当該底板部５１の上方縁周囲に開口部５１１及び複数のリブ片５１２を形成し、適所に複数の孔５２を設ける。該孔５２はフラットタイプの十字形状を呈し、それにより形成する複数の尖った角５２１のデザインを利用し、プレス機械を用いて綿糸５４を孔５２に植え込む作業の際、尖った角５２１が強力な圧力により内側に曲がることで生じる変形の弾性力により、綿糸５４を締め付けて固定し、脱落させない。また、相隣する尖った角５２１の間に、必要に応じて補強ブロック５２２を設けることで、該尖った角５２１の強度を強化する。
【００１３】
本考案の特徴は、植毛盤の底板部にある孔を十字孔に設計し、形成する９０度より小さい鋭角を介し、強力なプレスにより変形する際、綿糸に対し、強く締め付ける効果を持つ。
【００１４】
また、孔の中で複数の尖った角を形成する前提で、当該孔の形(楕円形や星型の孔などいずれも可)に制限を加えないこととする。
【００１５】
本考案のモップ植毛盤改良構造の実施例によれば、植毛盤の縁周りに複数のフラットタイプの十字形状の孔を設け、それにより形成する複数の尖った角により、綿糸を締め付けてしっかりと固定し、脱落させないことがない。
なお、以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１６】
１  グリップ
１１  端部  
２  固定台
２１ 嵌合孔
２２ 抵触部
２２１  孔
２２２   突出縁
２２３   ストッパー端
３  結合台
３１ 凹槽部
３２ 止め釘
３３ 軸部
３３１   抵触縁
３４ 底蓋
３５ 円盤部  
４  回転盤
４１ 中心孔
４２ 円盤部
４３ フック
５  植毛盤  
５１ 底板部
５１１   開口部
５１２   リブ片
５２ 孔
５２１   尖った角
５２２   補強ブロック
５４  綿糸
【図１】
0003152270.tif 000003
【図２】
0003152270.tif 000004
【図３】
0003152270.tif 000005
【図４】
0003152270.tif 000006
【図５】
0003152270.tif 000007